(57)【要約】【課題】自由な立体形状を備え、その表面全体から放音を行う立体面スピーカを新たに提案する。【解決手段】下方から上方に向かい積層されたカバー１２Ｌ、電極層１１５Ｌ、接着層１１４Ｌ、クッション層１１３Ｌ、スペーサ１１２Ｌ、振動体層１１１、スペーサ１１２Ｕ、クッション層１１３Ｕ、接着層１１４Ｕ、電極層１１５Ｕ、カバー１２Ｕを含む積層体３１が型ＤＬと型ＤＵにより熱プレス加工され、立体成型される。接着層１１４は熱可塑性樹脂シートであり、熱プレス加工時に溶けて電極層１１５とクッション層１１３とを接着する。一方、スペーサ１１２Ｌおよびスペーサ１１２Ｕは熱プレス加工前に硬化している熱硬化性樹脂であり、熱プレス加工により変形しない。そのため、熱プレス加工による自由度の高い立体形状を備えながら、加工に伴う音質の低下のない立体面スピーカが得られる。【選択図】図４
2013201512.tif 000002
【特許請求の範囲】
【請求項１】
導電性を伴うシートを有する振動体層と、
前記振動体層の一方の面に沿って配置され、導電性を伴うシートを有する電極層と、
前記振動体層と前記電極層との間に配置され、前記振動体層を前記電極層に対し隔離配置する絶縁性を伴う隔離層と
を備え、
前記電極層および前記隔離層のうちの少なくとも１つはプレス加工により立体成型されている
静電型スピーカ。
【請求項２】
前記電極層、前記隔離層および前記振動体層のうち少なくとも隣り合う２つが積層された状態で同時にプレス加工により立体成型されている
請求項１に記載の静電型スピーカ。
【請求項３】
前記プレス加工は加熱を伴うプレス加工であり、
前記プレス加工により立体成型される隣り合う２つには前記隔離層が含まれ、
前記隔離層は前記加熱を伴うプレス加工において熱可塑性を示さない
請求項２に記載の静電型スピーカ。
【請求項４】
熱可塑性の層を備え、
前記プレス加工は加熱を伴うプレス加工であり、
前記熱可塑性の層は前記加熱を伴うプレス加工において熱可塑性を示す
請求項２または３に記載の静電型スピーカ。
【請求項５】
前記電極層はプレス加工により立体成型されており、
前記電極層は、導電性物質が混入された樹脂フィルム、導電性繊維クロスおよび金属メッシュの少なくとも１つを有する
請求項１乃至４のいずれかに記載の静電型スピーカ。
【請求項６】
前記電極層を第１の電極層とし、前記隔離層を第１の隔離層とするとき、
前記振動体層からみて前記第１の電極層の配置されている面の反対側の面に沿って配置され、導電性を伴うシートを有する第２の電極層と、
前記振動体層と前記第２の電極層との間に配置され、前記振動体層を前記第２の電極層に対し隔離配置する絶縁性を伴う第２の隔離層と
を備える請求項１乃至５のいずれかに記載の静電型スピーカ。
【発明の詳細な説明】
【技術分野】
【０００１】
本発明は、静電型スピーカに関する。
【背景技術】
【０００２】
静電型スピーカは、平面波により直進性の高い音を発生できるスピーカとして注目されている。静電型スピーカは、導電性を伴うシート状の振動体層の両側に、絶縁性のスペーサを挟んで、導電性を伴うシート状の電極層を配置した構造を備えている。なお、電極層は一般的に、振動体層の振動を妨げないように空気の移動経路として多数の貫通孔を備える。
【０００３】
振動体層と２枚の電極層の各々との間に直流バイアス電圧を印加するとともに、２枚の電極層間に音波形に応じた交流電圧の駆動信号を印加すると、クーロンの法則に従い振動体層と電極層との間に駆動信号に応じた駆動力が生じ、その駆動力により２枚の電極層間で振動する振動体層が音圧を発生する。その結果、音波形に応じた発音が行われる。
【０００４】
静電型スピーカにおいては、上述のように振動体層の自由な振動を可能とするために、振動体層を挟む２枚の電極層を振動体層から隔離配置する必要がある。これらの複層の積層体間の隔離配置を可能とする技術として、例えば特許文献１がある。
【０００５】
特許文献１に記載の音響素子においては、積層体を構成する導電性を備える多孔質層の少なくとも片面上に支持点となる凸部が多数形成されている。それらの凸部がスペーサとして機能するため、別途、スペーサを設けることなく隣接する２層間を隔離することができる。
【先行技術文献】
【特許文献】
【０００６】
【特許文献１】特許第４５２７２８２号公報
【発明の概要】
【発明が解決しようとする課題】
【０００７】
静電型スピーカは全体として複数のシート状体を含む積層体として構成されるため、平面型スピーカの利便性に注目が集まっている。すなわち、静電型スピーカは例えばダイナミック型スピーカと比較し薄くできるため、スピーカ機能を備えた宣伝用のパネルやポスターなどに広く利用されている。特に、静電型スピーカの電極層等に可撓性の樹脂シートなどを用いると、静電型スピーカ全体がフレキシブルとなり、巻いたり折り畳んだりすることが可能となる。
【０００８】
このように、静電型スピーカは薄く柔軟性を持たせることができるスピーカとして広く認知されている。これに対し、本願発明者は静電型スピーカの新たな形態として、立体形状を備える静電型スピーカに想到した。すなわち、本発明は自由な立体形状を備え、その表面全体から放音を行う立体面スピーカを新たに提案するものである。
【課題を解決するための手段】
【０００９】
上述した課題を解決するために本発明は、導電性を伴うシートを有する振動体層と、前記振動体層の一方の面に沿って配置され、導電性を伴うシートを有する電極層と、前記振動体層と前記電極層との間に配置され、前記振動体層を前記電極層に対し隔離配置する絶縁性を伴う隔離層とを備え、前記電極層および前記隔離層のうちの少なくとも１つはプレス加工により立体成型されている静電型スピーカを提供する。
【００１０】
また、上記の静電型スピーカにおいて、前記電極層、前記隔離層および前記振動体層のうち少なくとも隣り合う２つが積層された状態で同時にプレス加工により立体成型されている、という構成が採用されてもよい。
【００１１】
また、上記の静電型スピーカにおいて、前記プレス加工は加熱を伴うプレス加工であり、前記プレス加工により立体成型される隣り合う２つには前記隔離層が含まれ、前記隔離層は前記加熱を伴うプレス加工において熱可塑性を示さない、という構成が採用されてもよい。
【００１２】
また、上記の静電型スピーカにおいて、熱可塑性の層を備え、前記プレス加工は加熱を伴うプレス加工であり、前記熱可塑性の層は前記加熱を伴うプレス加工において熱可塑性を示す、という構成が採用されてもよい。
【００１３】
また、上記の静電型スピーカにおいて、前記電極層はプレス加工により立体成型されており、前記電極層は、導電性物質が混入された樹脂フィルム、導電性繊維クロスおよび金属メッシュの少なくとも１つを有する、という構成が採用されてもよい。
【００１４】
また、上記の静電型スピーカにおいて、前記電極層を第１の電極層とし、前記隔離層を第１の隔離層とするとき、前記振動体層からみて前記第１の電極層の配置されている面の反対側の面に沿って配置され、導電性を伴うシートを有する第２の電極層と、前記振動体層と前記第２の電極層との間に配置され、前記振動体層を前記第２の電極層に対し隔離配置する絶縁性を伴う第２の隔離層とを備える、という構成が採用されてもよい。
【発明の効果】
【００１５】
本発明によれば、自由度の高い立体形状の面スピーカが実現されるため、例えば意匠性の高い面スピーカが得られる。
【図面の簡単な説明】
【００１６】
【図１】本発明の一実施形態にかかる静電型スピーカの上面図である。
【図２】本発明の一実施形態にかかる静電型スピーカの断面図である。
【図３】本発明の一実施形態にかかる静電型スピーカを駆動するための駆動回路およびその周辺部材を示した図である。
【図４】本発明の一実施形態にかかる静電型スピーカが立体成型される様子を模式的に示した図である。
【図５】本発明にかかる静電型スピーカの利用シーンを例示した図である。
【発明を実施するための形態】
【００１７】
［実施形態］
図１は、本発明の一実施形態にかかる静電型スピーカ１の上面図、図２は、図１のＡ−Ａ線断面図である。なお、図１および図２においては、直交するＸ軸、Ｙ軸およびＺ軸で方向を示しており、図２に示される静電型スピーカ１の断面を正面から見たときの左右方向をＸ軸の方向、奥行き方向をＹ軸の方向、高さ方向をＺ軸の方向としている。また、図中、「○」の中に「・」が記載されたものは図面の裏から表に向かう矢印を意味するものとする。また、図中、「○」の中に「×」が記載されたものは図面の表から裏に向かう矢印を意味するものとする。
【００１８】
また、図中の各部材の寸法は、各部材の形状や位置関係を容易に理解できるように実際の寸法とは異ならせており、特に図２（および後述の図４の積層体３１）においては、高さ方向（Ｚ軸の方向）の長さを実際よりも長く示している。
【００１９】
図１および図２に示されるように、静電型スピーカ１は、駆動回路２（後述）からの電圧の印加により駆動され放音を行う放音部１１と、放音部１１を収納するカバー１２と、駆動回路２と放音部１１とを電気的に接続するリード線である３本のケーブル１３（ケーブル１３Ａ、ケーブル１３Ｂおよびケーブル１３Ｃ）と、駆動回路２が備えるコネクター２４（後述）と互いに係合されてケーブル１３と駆動回路２との電気的な接続を確立するコネクター１４とを備えている。
【００２０】
カバー１２は、放音部１１を上からカバーするカバー１２Ｕと、放音部１１を下からカバーするカバー１２Ｌを備えている。なお、カバー１２Ｕおよびカバー１２Ｌのように、上下に配置される同種の部材に関しては、それらの符号の後ろに「Ｕ」（振動体層１１１から見て上側に配置される部材）もしくは「Ｌ」（振動体層１１１から見て下側に配置される部材）を付してそれらを区別する。また、それらを区別する必要がない場合、例えばカバー１２のように「Ｕ」もしくは「Ｌ」を付さない。
【００２１】
カバー１２は、ポリエチレン等の絶縁性および防湿性を備えた樹脂シートであり、放音部１１の大きさより一回り大きい。カバー１２Ｕおよびカバー１２Ｌは各々、放音部１１を上方および下方から覆い、放音部１１の外側において重ね合わされたそれらの外縁部分において接着層１２１によりその全周に渡り互いに接着されている。接着層１２１は熱可塑性の接着剤の層であり、静電型スピーカ１の本体、すなわち放音部１１およびカバー１２の立体成型時の加熱により溶け、その後の冷却により硬化してカバー１２Ｕとカバー１２Ｌとを接着している。
【００２２】
放音部１１は、中心に振動体層１１１を挟み、上下に同種の部材が順次積層された構造を備えている。具体的には、まず振動体層１１１の上下には各々、複数のスペーサ１１２により隔離配置されたクッション層１１３が配置されている。スペーサ１１２の外側には、接着層１１４によりクッション層１１３に接着された電極層１１５が配置されている。
【００２３】
振動体層１１１は、例えば導電性ポリマーを樹脂に混合してシート状に成型した導電樹脂フィルムである。スペーサ１１２は、たとえば熱硬化性樹脂であり、振動体層１１１に対しクッション層１１３を接着するとともに、硬化後はその形状を維持し、クッション層１１３を振動体層１１１に対し隔離配置する役割を果たす。
【００２４】
クッション層１１３は、例えばＰＥＴ（Poly Ethylene Terephthalate）等を原材料とする不織布であり、スペーサ１１２とともに、振動体層１１１の自由な振動を許容しつつ、その外側に配置される電極層１１５を振動体層１１１から隔離配置する役割を果たす。すなわち、クッション層１１３はスペーサ１１２とともに隔離層を構成する。接着層１１４は、接着層１２１と同様に熱可塑性の接着剤の層であり、放音部１１およびカバー１２の立体成型時の加熱により溶け、その後の冷却により硬化してクッション層１１３と電極層１１５とを接着している。なお、接着層１１４は次に述べる電極層１１５に開けられた多数の孔を介した空気の移動を妨げないように、電極層１１５とクッション層１１３との間に、例えばメッシュ状に配置されている。
【００２５】
電極層１１５は、振動体層１１１と同様に、例えば導電性ポリマーを樹脂に混合してシート状に成型した導電樹脂フィルムである。ただし、電極層１１５には、振動体層１１１の振動を妨げないように、孔開け加工により多数の孔が空気の移動経路として開けられている。
【００２６】
静電型スピーカ１は、既述のように、放音部１１に対する駆動回路２からの電圧の印加を受けるための部材として、ケーブル１３Ａ、ケーブル１３Ｂ、ケーブル１３Ｃおよびコネクター１４を備えている。図３は、静電型スピーカ１を駆動するための駆動回路２と、静電型スピーカ１の部材のうち駆動回路２からの電圧の印加を受けるための部材とを示した図である。
【００２７】
図３に示されるように、ケーブル１３Ａの一端はカバー１２に収納された電極層１１５Ｕに、ケーブル１３Ｂの一端はカバー１２に収納された電極層１１５Ｌに、また、ケーブル１３Ｃの一端はカバー１２に収納された振動体層１１１に、各々接続されている。また、ケーブル１３Ａ、ケーブル１３Ｂおよびケーブル１３Ｃの他端は各々、コネクター１４の１番端子、３番端子、２番端子に接続されている。
【００２８】
図３に示されるように、駆動回路２は、増幅器２１、変圧器２２、バイアス電源２３およびコネクター２４を備えている。
【００２９】
増幅器２１は、外部から入力される交流の音響信号を増幅して出力する装置であり、その出力端子が変圧器２２の一次側コイルに接続されている。すなわち、増幅器２１で増幅された交流の音響信号は変圧器２２へ供給される。
【００３０】
変圧器２２の二次側コイルのセンタータップは駆動回路２のグラウンドＧＮＤに接続されている。また、変圧器２２の二次側コイルの一方の端子はコネクター２４の１番端子に、他方の端子はコネクター２４の３番端子に、各々接続されている。
【００３１】
バイアス電源２３は、振動体層１１１に対して直流で、例えばプラスの所定電圧のバイアス電圧を印加するための電源であり、マイナス側は駆動回路２のグラウンドＧＮＤに、プラス側は保護抵抗として機能する抵抗器Ｒを介してコネクター２４の２番端子に、各々接続されている。
【００３２】
コネクター２４は、静電型スピーカ１のコネクター１４と互いに係合し、駆動回路２と静電型スピーカ１との間の電気的な接続を確立する。上述のように、コネクター２４の１番端子には変圧器２２の一方の端子が、３番端子には変圧器２２の他方の端子が、２番端子には抵抗器Ｒを介してバイアス電源２３が、各々接続されている。
【００３３】
静電型スピーカ１のコネクター１４と駆動回路２のコネクター２４が互いに係合すると、各コネクターの同じ番号の端子間が電気的に接続される。その結果、変圧器２２の一方の端子は電極層１１５Ｕに、変圧器２２の他方の端子は電極層１１５Ｌに、バイアス電源２３は振動体層１１１に、各々接続される。
【００３４】
コネクター１４およびコネクター２４が係合されると、直流で、例えばプラスの所定電圧のバイアス電圧が振動体層１１１に印加される。駆動回路２に外部から音響信号が入力されない状態においては、電極層１１５Ｕと電極層１１５Ｌとの間に印加される電圧は０Ｖである。
【００３５】
駆動回路２に交流の音響信号が入力されると、入力された音響信号が増幅器２１により増幅された後、変圧器２２の一次側に供給され、変圧器２２で昇圧されて、電極層１１５Ｕおよび電極層１１５Ｌに供給される。その際、電極層１１５Ｕに対し供給される音響信号と、電極層１１５Ｌに対し供給される音響信号とは振幅が同じで極性が逆の信号である。
【００３６】
すなわち、増幅器２１にプラスの音響信号が入力されると、電極層１１５Ｕにはプラスの電圧が印加され、電極層１１５Ｌにはそれと同じ振幅のマイナスの電圧が印加される。その場合、振動体層１１１と電極層１１５Ｕとの間の静電引力が弱まる一方、振動体層１１１と電極層１１５Ｌとの間の静電引力が強くなる。その結果、振動体層１１１はそれらの静電引力の差に応じて電極層１１５Ｌ側（Ｚ軸の負方向）へと変位する。
【００３７】
また、増幅器２１にマイナスの音響信号が入力されると、電極層１１５Ｕにマイナスの電圧が印加され、電極層１１５Ｌにはそれと同じ振幅のプラスの電圧が印加される。その場合、振動体層１１１と電極層１１５Ｌとの間の静電引力が弱まる一方、振動体層１１１と電極層１１５Ｕとの間の静電引力が強くなる。その結果、振動体層１１１はそれらの静電引力の差に応じて電極層１１５Ｕ側（Ｚ軸の正方向）へと変位する。
【００３８】
このように、増幅器２１に入力される音響信号に応じて振動体層１１１がＺ軸の正方向と負方向への変位を繰り返すことで振動し、その振動状態（振動数、振幅、位相）に応じた音波が振動体層１１１から音として放出される。なお、バイアス電圧はマイナスであってもよい。その場合は、電極層１１５に印加される電圧の極性と振動体層１１１の変位の方向が、バイアス電圧がプラスの場合と逆になる。
【００３９】
静電型スピーカ１の本体、すなわち放音部１１およびカバー１２は、加熱プレス加工により立体成型されたものである。図４は、放音部１１およびカバー１２が立体成型される様子を模式的に示した図である。なお、図４に示されるような形状の型ＤＬの上に放音部１１およびカバー１２を構成するシートの積層体３１を載せた場合、各々のシートは可撓性を備えているため、型ＤＬの形状に沿ってそれらが垂れ下がるが、図４においては本発明の概念を分かりやすく示すために、それらの垂れ下がりが生じない状態の積層体３１を示している。
【００４０】
放音部１１およびカバー１２の立体成型のための作業は、例えば以下のように行われる。まず、静電型スピーカ１を製造する作業者は、素材となるシートを円形にカットして、カバー１２Ｕとカバー１２Ｌ、振動体層１１１、クッション層１１３Ｕとクッション層１１３Ｌ、接着層１１４Ｕと接着層１１４Ｌ、および電極層１１５Ｕと電極層１１５Ｌを準備する。
【００４１】
そのようにカットされる円形シートの直径は、立体成型後に振動体層１１１、クッション層１１３および電極層１１５はその外縁部が揃い、カバー１２はそれらより外側に所定の長さだけ長くなるように、例えば試作品から計測された直径である。なお、例えば電極層１１５Ｕと電極層１１５Ｌのように同種の部材であっても、立体成型時に各々異なる曲率で曲げられるため、それらに用いられるシートの直径は一致しない。また、作業者は、素材となるシート（熱可塑性樹脂シート）をドーナツ状にカットして、接着層１２１を準備する。
【００４２】
続いて、作業者は平坦な作業台の上にクッション層１１３Ｌを載せ、その外側を取り巻くように、所定の高さ（クッション層１１３Ｌの厚さ、クッション層１１３Ｌと振動体層１１１との間に維持されるべき間隔、および振動体層１１１の厚さの合計）のブロックを複数配置する。そして、クッション層１１３Ｌの上の所定間隔の格子位置に、基剤と硬化剤との混合により熱硬化を開始した熱硬化性樹脂を定量ずつ載せる。
【００４３】
作業者は、熱硬化性樹脂をクッション層１１３Ｌ上に載せ終わると、速やかに振動体層１１１を熱硬化性樹脂の載せられたクッション層１１３Ｌの上に、それらの中心が一致するように載せ、押え板をその上に載せた後、重しを押え板上に載せる。重しは押え板を押し下げるが、押え板の外縁部がブロックに当たるため、押え板はその高さ以下には下がらない。養生の後、硬化が完了した熱硬化樹脂はスペーサ１１２Ｌとなる。
【００４４】
続いて、作業者は作業台の上にクッション層１１３Ｕを載せ、その外側を取り巻くように、所定の高さ（クッション層１１３Ｌの厚さ、クッション層１１３Ｌと振動体層１１１との間に維持されるべき間隔、振動体層１１１の厚さ、振動体層１１１とクッション層１１３Ｕとの間に維持されるべき間隔、クッション層１１３Ｕの厚さの合計）のブロックを複数配置する。そして、クッション層１１３Ｕの上の所定間隔の格子位置に、基剤と硬化剤との混合により熱硬化を開始した熱硬化性樹脂を定量ずつ載せる。
【００４５】
作業者は、熱硬化性樹脂をクッション層１１３Ｕ上に載せ終わると、速やかに、スペーサ１１２Ｌにより互いに接着された振動体層１１１とクッション層１１３Ｌを振動体層１１１が下側となるように、熱硬化性樹脂の載せられたクッション層１１３Ｕの上にそれらの中心が一致するように載せ、押え板をその上に載せた後、重しを押え板上に載せる。重しは押え板を押し下げるが、押え板の外縁部がブロックに当たるため、押え板はその高さ以下には下がらない。養生の後、硬化が完了した振動体層１１１とクッション層１１３Ｕとの間の熱硬化樹脂はスペーサ１１２Ｕとなる。
【００４６】
続いて作業者は、下側の型ＤＬの上に、中心が一致するように、カバー１２Ｌ、電極層１１５Ｌ、接着層１１４Ｌ（熱可塑性樹脂メッシュシート）、先に製作したスペーサ１１２Ｌおよびスペーサ１１２Ｕによって接着されたクッション層１１３Ｌと振動体層１１１とクッション層１１３Ｕとのアセンブリ、接着層１１４Ｕ（熱可塑性樹脂メッシュシート）、電極層１１５Ｕ、の順にそれらを積層する。
【００４７】
続いて作業者は、コネクター１４を持ってきて、コネクター１４から伸びるケーブル１３Ａを電極層１１５Ｕに、ケーブル１３Ｂを電極層１１５Ｌに、ケーブル１３Ｃを振動体層１１１に各々、例えば導電性樹脂の接着剤により接着する。
【００４８】
続いて作業者は、放音部１１を構成するシート群の外側に出ているカバー１２Ｌの外縁部の上に、ドーナツ状にカットされた熱可塑性樹脂シートである接着層１２１を載せる。さらに、それらを上から覆うように、カバー１２Ｕを載せる。その結果、型ＤＬの上に積層体３１が載置された状態となる。
【００４９】
その状態で、下側の型ＤＬに対し上側の型ＤＵを押し当て、積層体３１をそれらでプレスした状態で、型ＤＬおよび型ＤＵに加熱器Ｈにより、接着層１１４および接着層１２１の熱可塑性樹脂が熱可塑性を示す（溶ける）のに十分な温度および時間の加熱を行う。それにより、接着層１１４および接着層１２１は型ＤＬおよび型ＤＵに沿った形状に変形される。
【００５０】
また、振動体層１１１、クッション層１１３および電極層１１５は、上記の加熱プレスにおいて、主に加圧により変形するとともに、加熱によっても多少の熱可塑性を示しその変形が助長される。一方、スペーサ１１２は耐熱性が高く、プレス時の加熱によっては熱可塑性を示さない。また、スペーサ１１２は硬度も高く、プレス時の加圧によってはほとんど変形しない。
【００５１】
その後、プレスを続けた状態で加熱器Ｈによる加熱を停止した後、接着層１１４および接着層１２１が硬化するまで冷却を行う。その後、型ＤＵを型ＤＬから引き離し、加熱プレスにより立体形状に成型された放音部１１およびカバー１２のアセンブリを型ＤＬから取り外す。これにより、立体形状を備える静電型スピーカ１が完成する。
【００５２】
上記のように製造される静電型スピーカ１においては、スペーサ１１２が加熱プレス加工時にほとんど変形せずにその形状を維持するため、立体成型後の積層体３１においても、図２に示されるように、振動体層１１１に対する電極層１１５Ｕおよび電極層１１５Ｌの隔離配置が維持される。その結果、面スピーカの形状をプレス加工による自由度の高い立体形状にすることができるとともに、加工による放音能力の低下を伴わない望ましい面スピーカが得られる。
【００５３】
上記の静電型スピーカ１の立体形状はあくまで一例であって、本発明にかかる静電型スピーカは、プレス加工により成型可能な立体形状である限り、あらゆる形状の面スピーカを含むものである。図５は、本発明にかかる他の立体形状の静電型スピーカ（図においては符号１を付している）の利用シーンの例を模式的に示した図である。
【００５４】
図５（ａ）は、自動車のルーフの形状に成形した本発明にかかる静電型スピーカを自動車のルーフ下面に取り付けた例を示している。この例によれば、車内の人は車で移動中、ルーフから放音される音を楽しむことができる。
【００５５】
図５（ｂ）は、半球状に成形した本発明にかかる静電型スピーカを待合室などの天井下面に取り付けた例を示している。この例によれば、室内の人は天井から下方に全方位的に放音される音を聞くことができる。
【００５６】
図５（ｃ）は、球状に成形した本発明にかかる静電型スピーカを、街頭などに配置した例を示している。この例のスピーカは、全方位的に放音を行う無指向性のスピーカとなる。従って、例えば従来は異なる方角に配置された複数のスピーカで構成されていた街頭放送用のスピーカなどと比較し、本発明によれば、よりシンプルな構成で外観上も優れ、より無指向性の点から性能の高いスピーカが得られる。なお、積層体３１を一度のプレス加工により球状に成形することは困難であるが、例えば半球状に成形した２つのパーツを連結することにより、球状のスピーカとすることができる。
【００５７】
［変形例］
上述した実施形態は本発明の技術的思想の範囲内において様々に変形可能である。以下にそれらの変形の例を示す。
【００５８】
（１）上述した実施形態においては、静電型スピーカ１はプッシュプル型であるが、本発明にかかる静電型スピーカはシングル型であってもよい。その場合、放音部１１は、振動体層１１１と、その片側にのみ配置されたスペーサ１１２、クッション層１１３、接着層１１４、電極層１１５とを含む積層体により構成され、ケーブル１３Ａもしくはケーブル１３Ｂの一方は不要となる。
【００５９】
（２）積層体３１を構成する部材は、必ずしも上述した部材に限られない。積層体３１を構成する部材のうち静電型スピーカに必須の構成部は振動体層１１１と、それに対し隔離配置される電極層１１５Ｕおよび電極層１１５Ｌのみである。従って、例えばスペーサ１１２およびクッション層１１３のいずれか一方により振動体層１１１に対する電極層１１５の隔離配置が確保できるのでれば、他方は不要である。また、カバー１２を外側カバーとし、その内側に内側カバーを設けるなど、上述した積層体３１には含まれない層が追加されてもよい。
【００６０】
（３）積層体３１を構成する各部材の素材は上述したものに限られない。例えば、上述した例においては、電極層１１５の素材としては、孔開け加工の施された導電性ポリマーの混合された樹脂シートが望ましい例として採用されているが、例えば電極層１１５に導電性繊維クロスや金属メッシュなど、熱プレス加工により導電性の低下や導電性の非均質性が生じにくい他の素材が採用されてもよい。また、プレス加工により導電性の低下や導電性の非均質性があまり生じなければ、樹脂シートに金属を蒸着させた構成の導電性シートに孔開け加工を施したものが電極層１１５として採用されてもよい。
【００６１】
また、振動体層１１１の素材としては、孔開け加工の施されていない導電性ポリマーの混合された樹脂シートが望ましい例として採用されているが、例えばプレス加工時に蒸着が剥がれる等の問題が生じないのであれば、樹脂シートに金属を蒸着させた導電性シート等が振動体層１１１として採用されてもよい。
【００６２】
また、スペーサ１１２は基剤と硬化剤との混合により硬化する熱硬化性樹脂が採用されるものとしたが、加熱により硬化する熱硬化性樹脂が採用されてもよい。また、プレス加工により変形しない限り、熱硬化性樹脂以外の素材がスペーサ１１２として採用されてもよい。また、クッション層１１３は十分なクッション性を備える限り、ＰＥＴ不織布以外のいかなる素材が採用されてもよい。
【００６３】
（４）積層体３１がプレスにより立体加工される限り、必ずしも加熱は必要ではない。例えば、電極層１１５に薄い金属メッシュを用いる場合などは、加熱はあまり成形には貢献せず、プレス加工のみで十分に立体成型が行われる。繊維密度の高い不織布等もプレス加工のみで十分な立体成型が行われる素材である。従って、接着層１１４および接着層１２１に熱可塑性樹脂でない素材が採用され、加熱なくプレス加工のみで十分な立体成型が行われるのであれば、加熱は不要である。
【００６４】
（５）接着層１１４に常温において比較的高い剛性を備える熱可塑性樹脂を採用することにより、立体成型後の静電型スピーカの形状をより安定させる構成が採用されてもよい。その場合、積層体３１を構成する他の素材として、プレス加工もしくは熱プレス加工によって一時的に変形しても型から外されるとその形状を十分に維持できないような素材であっても採用することが可能となる。
【００６５】
（６）上述の静電型スピーカ１の製造手順はあくまで一例であって、積層体３１を構成する１以上の部材がプレス加工により立体成型される限り、他の如何なる手順で静電型スピーカ１が製造されてもよい。例えば、電極層１１５Ｌ、接着層１１４Ｌおよびクッション層１１３Ｌを熱プレス加工により立体成型し、電極層１１５Ｕ、接着層１１４Ｕおよびクッション層１１３Ｕを別途、熱プレス加工により立体成型し、スペーサ１１２Ｕおよびスペーサ１１２Ｌを各々の面に接着した振動体層１１１を挟み込んでそれらを上下に組み合わせることにより、本発明にかかる静電型スピーカが製造されてもよい。
【符号の説明】
【００６６】
１…静電型スピーカ、２…駆動回路、１１…放音部、１２…カバー、１３…ケーブル、１４…コネクター、２１…増幅器、２２…変圧器、２３…バイアス電源、２４…コネクター、３１…積層体、１１１…振動体層、１１２…スペーサ、１１３…クッション層、１１４…接着層、１１５…電極層、１２１…接着層
【図３】
2013201512.tif 000003
【図１】
2013201512.tif 000004
【図２】
2013201512.tif 000005
【図４】
2013201512.tif 000006
【図５】
2013201512.tif 000007